(57)【要約】      （修正有）【課題】多機能のペンを提供する。【解決手段】軸筒とリフィルとを含み、リフィルは軸筒内に設けられ、軸筒にクリップ３が設けられ、軸筒は上軸筒１と下軸筒２とを含み、上軸筒１は下軸筒２に連結され、下軸筒２は連結する位置で上軸筒１へ折り曲げて傾斜することができ、クリップ３は上軸筒１に設けられ、クリップ３は上軸筒１と下軸筒２に跨られ、クリップ３末端が内へ突起して携帯電話突き当て凸条７が設けられる。本装置は折り曲げて携帯電話ホルダとすることができ、携帯電話９のスタイラスペンとすることができ、上軸筒１は照明灯、レーザーを設けることができ、又はＵＳＢ信号端子によってコンピュータＰＰＴの演示リモコンとし、本考案は一本のペン中に複数の電子製品のセット機能が集められ、携帯に適合し携帯電話９、コンピュータと合わせて使用する。【選択図】図６
0003209124.tif 000002
【実用新案登録請求の範囲】
【請求項１】
多機能のペンであって、軸筒とリフィルとを含み、リフィルは軸筒内に設けられ、軸筒にクリップ（３）が設けられ、前記軸筒は上軸筒（１）と下軸筒（２）とを含み、上軸筒（１）は下軸筒（２）に連結され、下軸筒（２）は連結する位置で上軸筒（１）へ折り曲げられて傾斜することができ、クリップ（３）は上軸筒（１）に設けられ、クリップ（３）は上軸筒（１）と下軸筒（２）に跨り、クリップ（３）末端に内へ突起する携帯電話突き当て凸条（７）が設けられることを特徴とする多機能のペン。
【請求項２】
前記上軸筒（１）の連結端部は内凹円弧面（４）であり、下軸筒（２）の連結端部は外凸円弧面（８）であり、下軸筒（２）の連結端部が内凹円弧面（４）の中部に連結され、下軸筒（２）が連結する位置で上軸筒（１）へ折り曲げて傾斜可能な角度は、０から１２０°であることを特徴とする請求項１に記載の多機能のペン。
【請求項３】
前記上軸筒（１）の連結端部は内凹円弧面（４）であり、下軸筒（２）の連結端部は外凸円弧面（８）であり、下軸筒（２）の連結端部が内凹円弧面（４）の中部に連結され、下軸筒（２）が連結する位置で最大に折り曲げて傾斜可能な角度は１００−１３０°であることを特徴とする請求項１に記載の多機能のペン。
【請求項４】
前記上軸筒（１）と下軸筒（２）との連結軸は、下軸筒（２）軸線からクリップ（３）を遠く離れる片側へバイアスして設けられることを特徴とする請求項２又は３に記載の多機能のペン。
【請求項５】
前記内凹円弧面（４）の両端が平面に沿って伸びる状態を呈し、下軸筒（２）の伸びた状態の伸ばし突き当て平面（１４）と下軸筒（２）の最大折り曲げ状態の折曲げ突き当て平面（１３）とを有し、伸ばし突き当て平面（１４）と上軸筒（１）軸線とが平行であり、折曲げ突き当て平面（１３）と上軸筒（１）軸線との角度が下軸筒（２）の最大折り曲げ角度と一致することを特徴とする請求項４に記載の多機能のペン。
【請求項６】
伸ばし突き当て平面（１４）の末端と上軸筒（１）の外側側壁との間に外向き下斜め平面又は弧面を有することを特徴とする請求項５に記載の多機能のペン。
【請求項７】
下軸筒（２）連結端部の外凸円弧面（８）は連結軸を軸心とし、外凸円弧面（８）はクリップ（３）を遠く離れる片側で下軸筒（２）外側側壁にタンジェンシャル遷移し、外凸円弧面（８）はクリップ（３）に近寄る片側で下軸筒（２）軸線と平行する段差面（１５）にタンジェンシャル遷移し、前記段差面（１５）は伸ばし突き当て平面（１４）と協力し、段差面（１５）は下軸筒（２）のシャフトと段差を形成することを特徴とする請求項５に記載の多機能のペン。
【請求項８】
前記クリップ（３）の外側面は平面であり、クリップ（３）は下軸筒（２）の折り曲げ方向の他方側に位置することを特徴とする請求項２又は３に記載の多機能のペン。
【請求項９】
前記クリップ（３）の幅は、上軸筒（１）の直径以上であることを特徴とする請求項８に記載の多機能のペン。
【請求項１０】
前記クリップ（３）の内側と上軸筒（１）の下端との間に設けられた支持ベース（１２）を介して、前記クリップ（３）の内側と前記上軸筒（１）の下端とが固定接続されることを特徴とする請求項１乃至６の何れか１項に記載の多機能のペン。
【請求項１１】
前記支持ベース（１２）は、下軸筒（２）の最大折り曲げ状態での軸線延長線に位置し、又は下軸筒（２）の最大折り曲げ状態での軸線延長線の近くにクリップ（３）末端の片側に設けられることを特徴とする請求項１０に記載の多機能のペン。
【請求項１２】
内凹円弧面（４）の中部突起に連結カラム（１７）が設けられ、下軸筒（２）の連結端部はＵ形チャック（１６）と見なされ、Ｕ形チャック（１６）は連結カラム（１７）を挟んで連結し、かつ下軸筒（２）の外凸円弧面（８）が内凹円弧面（４）に当接することを特徴とする請求項２又は３に記載の多機能のペン。
【請求項１３】
前記上軸筒（１）の先端部と下軸筒（２）の底部とにそれぞれソフト性ラバーリング（６）が設けられることを特徴とする請求項１に記載の多機能のペン。
【請求項１４】
前記リフィルが下軸筒（２）内に設けられ、下軸筒（２）は相対回転自在の二段シャフトに分かれ、二段シャフトが相対回転してリフィルの繰り出し及び繰り入れを制御することを特徴とする請求項１乃至３の何れか１項に記載の多機能のペン。
【請求項１５】
前記上軸筒（１）の側面にスイッチ（１０）が設けられ、上軸筒（１）の先端部にスイッチ（１０）により制御される照明灯（１１）が設けられることを特徴とする請求項１乃至３の何れか１項に記載の多機能のペン。
【請求項１６】
前記上軸筒（１）の側面にスイッチ（１０）が設けられ、上軸筒（１）の先端部にスイッチ（１０）により制御されるレーザーが設けられることを特徴とする請求項１乃至３の何れか１項に記載の多機能のペン。
【請求項１７】
前記上軸筒（１）の側面にＵＳＢ接合信号端子が嵌められ、ＵＳＢ接合信号端子が抜け出してコンピュータに挿設することができ、上軸筒（１）の他方側にＵＳＢ接合信号端子に対応するリモコンボタンが設けられることを特徴とする請求項１乃至３の何れか１項に記載の多機能のペン。
【請求項１８】
前記上軸筒（１）に光反射器（５）が設けられることを特徴とする請求項１に記載の多機能のペン。
【考案の詳細な説明】
【技術分野】
【０００１】
本考案は、ペンに関し、特に携帯電話スタンドを有する多機能のペンに関する。
【背景技術】
【０００２】
現在、携帯電話は携帯しやすいため重要な通信用具として、既に益々多くの人に使用されている。携帯電話の普及に伴い、携帯電話の機能も益々多様に発展している。携帯電話の機能性の発展に伴い、携帯電話が人々の娯楽レジャーに不可欠なものとなり、携帯電話は、映画を見ること、音楽を聴くこと、ゲームプレイ等のレジャー娯楽を提供でき、特に人々が仕事以外に、映画を見る及び音楽を聴くことができる。しかし、映画を見る時に携帯電話の載置スタンドは使用する場合に持ち運ばないことが多く、手で持つとレジャーに不利であるため、従って、使用する場合に適合しながら、携帯電話を載せられ、かつ携帯しやすい多機能ペンが必要である。
【考案の概要】
【考案が解決しようとする課題】
【０００３】
上記技術的問題を解決するため、本考案の目的は、携帯電話スタンドを有する多機能のペンを設計することである。
【課題を解決するための手段】
【０００４】
本考案は、以下の技術的解決手段を採用し、
多機能のペンであって、軸筒とリフィルとを含み、リフィルは軸筒内に設けられ、軸筒にクリップが設けられ、軸筒は上軸筒と下軸筒とを含み、上軸筒は下軸筒に連結され、下軸筒は連結する位置で上軸筒へ折り曲げられて傾斜することができ、クリップは上軸筒に設けられ、クリップは上軸筒と下軸筒とに跨り、クリップ末端に内へ突起する携帯電話突き当て凸条が設けられる。従来の技術と比べ、該多機能のペンの上軸筒は下軸筒に連結され、下軸筒は連結する位置で上軸筒へ折り曲げて傾斜することができ、かつクリップ末端に内へ突起する携帯電話突き当て凸条が設けられ、ペンのペン先を下に向けて横向きに机上に置き、下軸筒が折り曲げて傾斜し、傾斜する下軸筒と携帯電話突き当て凸条によって携帯電話が傾斜する下軸筒に立て掛けて携帯電話突き当て凸条に当接して斜に置かれ、携帯電話を置きやすく、仕事以外のレジャー娯楽に便利であり、かつ使用する場合に適用し、下軸筒の折り曲げ傾斜角度を調節することにより、携帯電話の配置角度を調節することができ、かつ該多機能のペンを垂直に携帯しやすい。
【０００５】
好ましくは、前記上軸筒の連結端部は内凹円弧面であり、下軸筒の連結端部は外凸円弧面であり、下軸筒の連結端部が内凹円弧面の中部に連結され、下軸筒が連結する位置で上軸筒へ折り曲げて傾斜可能な角度は、０から１２０°である。
【０００６】
好ましくは、前記上軸筒の連結端部は内凹円弧面であり、下軸筒の連結端部は外凸円弧面であり、下軸筒の連結端部が内凹円弧面の中部に連結され、下軸筒が連結する位置で最大に折り曲げて傾斜可能な角度は１００−１３０°である。
【０００７】
好ましくは、前記上軸筒と下軸筒との連結軸は、下軸筒軸線を遠く離れるクリップの片側へバイアスして設けられる。下軸筒をクリップから遠く離れる片側へ折り曲げるだけで、携帯電話支持スタンドが形成される。
【０００８】
好ましくは、前記内凹円弧面の両端が平面に沿って伸びる状態を呈し、下軸筒の伸びた状態の伸ばし突き当て平面と下軸筒の最大折り曲げ状態の折り曲げ突き当て平面とし、伸ばし突き当て平面と上軸筒軸線とが平行であり、折曲げ突き当て平面と上軸筒軸線との角度が下軸筒の最大折り曲げ角度と一致する。二つの突き当て平面がそれぞれ下軸筒の二つの限界位置に位置決めとストッパとを行う。
【０００９】
好ましくは、伸ばし突き当て平面の末端と上軸筒の外側側壁との間に外向き下斜め平面又は弧面へ遷移する。下軸筒が伸ばされた状態で上軸筒の下端とよりよく噛合する。
【００１０】
好ましくは、下軸筒連結端部の外凸円弧面は連結軸を軸心とし、外凸円弧面はクリップを遠く離れる片側に下軸筒外側側壁とタンジェンシャル遷移し、外凸円弧面はクリップに近寄る片側に下軸筒軸線と平行する段差面にタンジェンシャル遷移し、前記段差面は伸ばし突き当て平面と協力し、段差面は下軸筒のシャフトと段差が形成される。
【００１１】
好ましくは、前記クリップの外側面は平面であり、クリップは下軸筒の折り曲げ方向の他方側に位置する。下軸筒が折り曲げられた後に携帯電話の背もたれとし、この時クリップの外側が机の上に置かれ、下軸筒が上向きに折り曲げて安定した支持を形成する。
【００１２】
好ましくは、前記クリップの幅は、上軸筒の直径以上である。
【００１３】
好ましくは、前記クリップの内側と上軸筒の下端との間に支持ベースを介して固定接続される。クリップを上軸筒の上端と下端とにそれぞれ固定接続が形成され、従来のペンと異なる。従来のペンのクリップは、服のポケット等に挟んで固定することに用いられ、しかし、本解決手段のクリップは下軸筒に折り曲げて携帯電話のスタンドとする時に、底面支持するために用いられ、従って、支持ベースを用いて上軸筒と下軸筒とが連結する下端の位置に支持ベースを形成して第二支持とし、さらに支持の安定を保証する。
【００１４】
好ましくは、前記支持ベースは、下軸筒の最大折り曲げ状態での軸線延長線に位置し、又は下軸筒の最大折り曲げ状態での軸線延長線の近くにクリップ末端の片側に設けられる。
【００１５】
好ましくは、前記上軸筒の先端部と下軸筒の基端部とにそれぞれソフト性ラバーリングが設けられる。ソフト性ラバーリングによって該ペンが携帯しやすく、尖って刺さる感じがない。とともにソフト性ラバーリングが携帯電話スタイラスを制御することができ、本ペンを携帯電話の制御ペンとし、乾燥又は湿っている天気の場合に、指でスタイラス制御して長い時間で操作することに比べれば指先の不快感の状況を回避する。
【００１６】
好ましくは、前記リフィルが下軸筒内に設けられ、下軸筒は相対回転自在の二段シャフトに分かれ、二段シャフトが相対回転してリフィルの繰り出し及び繰り入れを制御する。
【００１７】
好ましくは、内凹円弧面の中部突起に連結カラムが設けられ、下軸筒の連結端側はＵ形チャックと見なされ、Ｕ形チャックは連結カラムに挟まれて連結され、かつ下軸筒の外凸円弧面が内凹円弧面に当接される。
【００１８】
好ましくは、前記上軸筒の側面にスイッチが設けられ、上軸筒の先端部にスイッチにより制御される照明灯が設けられる。
【００１９】
他の好ましくは、前記上軸筒の側面にスイッチが設けられ、上軸筒の先端部にスイッチにより制御されるレーザーが設けられる。上軸筒の先端部はスイッチにより制御されるレーザペンも設けることができ、コンピュータのスライドショーを指示する作業に用いられる。
【００２０】
他の好ましくは、前記上軸筒の側面にＵＳＢ接合信号端子が嵌められ、ＵＳＢ接合信号端子が抜け出してコンピュータに挿設することができ、上軸筒の他方側がＵＳＢ接合信号端子に対応するリモコンボタンが設けられる。上軸筒の側面に抜き出し可能なＵＳＢ接合信号端子が設けられ、上軸筒のスイッチはページ捲りポタンを変形することができ、ＵＳＢ接合信号端子が抜け出してコンピュータに差し込んで接続され、上軸筒のスイッチによりＵＳＢ接合信号端子の信号接合によってコンピュータＰＰＴ等のソフトのページ捲りを遠隔制御し、ＰＰＴの演示リモコンとする。
【００２１】
好ましくは、前記上軸筒に光反射器が設けられる。光反射器によって夜間の暗所にこの多機能のペンを見つけやすい。
【考案の効果】
【００２２】
本考案によれば、下軸筒が連結する位置で上軸筒へ折り曲げて傾斜し、クリップの外側面を下向きに机の上に置き、携帯電話スタンドとして用いることができる。下軸筒の末端ソフト性ラバーリングがスタイラスとして携帯電話を制御することができ、本ペンは携帯電話制御ペンとすることができ、乾燥又は湿っている天気の場合に、指でスタイラス制御して長い時間操作することに比べれば指先の不快感の状況を回避できる。上軸筒は照明灯、レーザーを設けることができ、又はＵＳＢ信号端子によってコンピュータＰＰＴの演示リモコンとし、本考案は、一本のペン中に複数の電子製品のセット機能が集められ、携帯に適合し携帯電話、コンピュータを配合して使用する。
【図面の簡単な説明】
【００２３】
【図１】本考案の一種の構成概略図である。
【図２】本考案を最大角度に折り曲げる構成概略図である。
【図３】本考案の携帯電話を載せている使用状態図である。
【図４】本考案の第二種の構成概略図である。
【図５】本考案の第二種の構成折り曲げ図である。
【図６】本考案の第二種の携帯電話を載せている実用状態図である。
【図７】本考案の上軸筒と下軸筒との連結端部が連結する構成概略図である。
【考案を実施するための形態】
【００２４】
これから具体的な実施例によって、かつ図面を結合し、本考案の技術的解決手段についてさらに詳細に説明する。
【００２５】
実施例１、図１、図２および図３に示すように、多機能のペンであって、軸筒とリフィルとを含み、リフィルは軸筒内に設けられ、軸筒にクリップ３が設けられ、軸筒は上軸筒１と下軸筒２とを含み、上軸筒は下軸筒に連結され、下軸筒は連結する位置で上軸筒へ折り曲げて傾斜することができ、クリップは上軸筒に設けられ、クリップは上軸筒と下軸筒とに跨り、クリップ末端に内へ突起した携帯電話突き当て凸条７が設けられ、上軸筒の連結端部は内凹円弧面４であり、下軸筒の連結端部は外凸円弧面８であり、下軸筒の連結端部が内凹円弧面の中部に連結され、下軸筒は連結する位置で上軸筒へ折り曲げて傾斜可能な角度は、０から１２０°であり、上軸筒の先端部と下軸筒の基端部にそれぞれソフト性ラバーリング６が設けられ、上軸筒に光反射器５が設けられる。
【００２６】
該多機能のペンの上軸筒は下軸筒に連結され、下軸筒は連結する位置で上軸筒へ折り曲げて傾斜することができ、かつクリップ末端に内へ突起する携帯電話突き当て凸条が設けられ、ペンのペン先を下に向けて横向きに机上に置くことによって、下軸筒が折り曲げられて傾斜し、傾斜する下軸筒と携帯電話突き当て凸条とによって携帯電話９が傾斜する下軸筒に立て掛けてられ携帯電話突き当て凸条に当接して斜に置かせられることで、携帯電話を置きやすく、仕事以外のレジャー娯楽に便利であり、かつ使用する場合に適用し、下軸筒の折り曲げ傾斜角度を調節することにより、携帯電話の配置角度を調節することができ、かつ該多機能のペンを垂直にすることで携帯しやすい。
【００２７】
以上記載の実施例は、本考案の好適な解決手段であり、本考案をいずれかの形式に制限することではなく、請求項に記載された技術的解決手段を逸脱しないことを前提に、他に置換及び変形される。
【００２８】
実施例２、図４及び図５に示すように、多機能のペンであって、軸筒とリフィルとを含み、軸筒は上軸筒１と下軸筒２とを含み、軸筒１にクリップ３が設けられ、リフィルが下軸筒２内に設けられ、下軸筒は相対回転自在の二段シャフト構造に分かれ、下軸筒の二段シャフトが相対回転して、リフィルが下軸筒に繰り出し及び繰り入れられることを実現する。上軸筒は下軸筒に連結され、下軸筒は連結する位置で上軸筒へ折り曲げて傾斜することができ、クリップ３は上軸筒１の片側に設けられ、クリップは下軸筒の折り曲げ方向と逆の片側に設けられ、クリップの末端は下軸筒の位置に伸ばされ、クリップ末端に内へ突起する携帯電話突き当て凸条７が設けられ、クリップの外側面は平面であり、かつクリップ３の両側に外へ突起する半円型ミッドスパン部が設けられ、クリップ内側面と上軸筒下端との間に支持ベース１２によって固定接続され、半円型ミッドスパン部と支持ベース１２は携帯電話を支持する時により安定な支持が形成される。
【００２９】
上軸筒の連結端部は内凹円弧面４であり、下軸筒の連結端部は外凸円弧面８であり、下軸筒の連結端部は内凹円弧面の中部に連結される。図７に示すように、内凹円弧面４の中部突起に連結カラム１７が設けられ、下軸筒の連結端側はＵ形チャック１６と見なされ、Ｕ形チャックは連結カラムに挟んで連結され、かつ下軸筒の外凸円弧面８は内凹円弧面に当接される。内凹円弧面の両端が平面に沿って伸びる状態を呈し、下軸筒の伸びた状態の伸ばし突き当て平面１４と下軸筒の最大折り曲げ状態の折り曲げ突き当て平面１３とし、伸ばし突き当て平面１４と上軸筒１軸線と平行し、伸ばし突き当て平面の末端と上軸筒の外側側壁との間に外に向き下斜め平面へ遷移する。折曲げ突き当て平面１３と上軸筒軸線との角度が下軸筒の最大折り曲げ角度と一致する。下軸筒が連結する位置によるが、上軸筒へ折り曲げる最大の角度は１２０°である。下軸筒２の外凸円弧面８は連結軸を軸心とし、外凸円弧面はクリップを遠く離れる片側に下軸筒外側側壁とタンジェンシャル遷移し、外凸円弧面はクリップに近寄る片側に下軸筒軸線と平行する段差面１５をタンジェンシャル遷移し、前記段差面は伸ばし突き当て平面と協力し、段差面と下軸筒とのシャフトがずれたところを有しかつ段差が形成される。上軸筒の側面に上下揺動可能なスイッチ１０が設けられ、上軸筒の先端部に照明灯が設けられ、スイッチによりオンオフを制御する。上軸筒の先端部にスイッチにより制御されるレーザーが設けられてもよく、コンピュータのスライドショーを指示する作業に用いられる。又は上軸筒の側面に抜け出すことができるＵＳＢ接合信号端子が設けられ、上軸筒のスイッチはページ捲りポタンを変形することができ、ＵＳＢ接合信号端子を抜き出してコンピュータに差し込んで接続され、上軸筒のスイッチによりＵＳＢ接合信号端子の信号接合によってコンピュータＰＰＴ等のソフトのページ捲りを遠隔制御し、ＰＰＴの演示リモコンとする。下軸筒の基端部はリフィルの伸縮口であり、サラウンドリフィルの伸縮口にソフト性ラバーリング６が設けられ、ソフト性ラバーリングは携帯電話のスタイラスのコンタクトとして携帯電話のバネルをタッチすることで制御し、同時にペン先を保護する。
【００３０】
該多機能のペン上軸筒が下軸筒に連結され、下軸筒は連結する位置で上軸筒へ折り曲げて傾斜することができ、かつクリップ末端に内へ突起した携帯電話突き当て凸条が設けられ、下軸筒が折り曲げられて傾斜し、クリップの外側面が机の上に置かれ、傾斜する下軸筒と携帯電話突き当て凸条とによって携帯電話９が傾斜する下軸筒に立て掛けて携帯電話突き当て凸条に当接して斜に置かれ、図６に示すように、携帯電話を置きやすく、仕事以外のレジャー娯楽に便利である。下軸筒の末端ソフト性ラバーリングが携帯電話のスタイラスを制御することができ、本ペンは携帯電話制御ペンとすることができ、乾燥又は湿っている天気の場合に、指でスタイラス制御して長い時間操作することに比べれば指先の不快感の状況を回避さできる。上軸筒は照明灯、レーザーを設けることができ、又はＵＳＢ信号端子によってコンピュータＰＰＴの演示リモコンとし、本装置は一本のペン中に複数の電子製品のセット機能が集められ、携帯に適合し携帯電話、コンピュータと合わせて使用する。
【００３１】
（付記）
（付記１）
多機能のペンであって、軸筒とリフィルとを含み、リフィルは軸筒内に設けられ、軸筒にクリップが設けられ、前記軸筒は上軸筒と下軸筒とを含み、上軸筒は下軸筒に連結され、下軸筒は連結する位置で上軸筒へ折り曲げられて傾斜することができ、クリップは上軸筒に設けられ、クリップは上軸筒と下軸筒に跨り、クリップ末端に内へ突起する携帯電話突き当て凸条が設けられることを特徴とする多機能のペン。
【００３２】
（付記２）
前記上軸筒の連結端部は内凹円弧面であり、下軸筒の連結端部は外凸円弧面であり、下軸筒の連結端部が内凹円弧面の中部に連結され、下軸筒が連結する位置で上軸筒へ折り曲げて傾斜可能な角度は、０から１２０°であることを特徴とする付記１に記載の多機能のペン。
【００３３】
（付記３）
前記上軸筒の連結端部は内凹円弧面であり、下軸筒の連結端部は外凸円弧面であり、下軸筒の連結端部が内凹円弧面の中部に連結され、下軸筒が連結する位置で最大に折り曲げて傾斜可能な角度は１００−１３０°であることを特徴とする付記１に記載の多機能のペン。
【００３４】
（付記４）
前記上軸筒と下軸筒との連結軸は、下軸筒軸線を遠く離れるクリップの片側へバイアスして設けられることを特徴とする付記２又は３に記載の多機能のペン。
【００３５】
（付記５）
前記内凹円弧面の両端が平面に沿って伸びる状態を呈し、下軸筒の伸びた状態の伸ばし突き当て平面と下軸筒の最大折り曲げ状態の折曲げ突き当て平面とし、伸ばし突き当て平面と上軸筒軸線とが平行であり、折曲げ突き当て平面と上軸筒軸線との角度が下軸筒の最大折り曲げ角度と一致することを特徴とする付記４に記載の多機能のペン。
【００３６】
（付記６）
伸ばし突き当て平面の末端と上軸筒の外側側壁との間に外向き下斜め平面又は弧面へ遷移することを特徴とする付記５に記載の多機能のペン。
【００３７】
（付記７）
下軸筒連結端部の外凸円弧面は連結軸を軸心とし、外凸円弧面はクリップを遠く離れる片側で下軸筒外側側壁にタンジェンシャル遷移し、外凸円弧面はクリップに近寄る片側で下軸筒軸線と平行する段差面にタンジェンシャル遷移し、前記段差面は伸ばし突き当て平面と協力し、段差面は下軸筒のシャフトと段差を形成することを特徴とする付記５に記載の多機能のペン。
【００３８】
（付記８）
前記クリップの外側面は平面であり、クリップは下軸筒の折り曲げ方向の他方側に位置することを特徴とする付記２又は３に記載の多機能のペン。
【００３９】
（付記９）
前記クリップの幅は、上軸筒の直径以上であることを特徴とする付記８に記載の多機能のペン。
【００４０】
（付記１０）
前記クリップの内側と上軸筒の下端との間に支持ベースを介して固定接続されることを特徴とする付記１乃至３の何れか１つに記載の多機能のペン。
【００４１】
（付記１１）
前記支持ベースは、下軸筒の最大折り曲げ状態での軸線延長線に位置し、又は下軸筒の最大折り曲げ状態での軸線延長線の近くにクリップ末端の片側に設けられることを特徴とする付記１０に記載の多機能のペン。
【００４２】
（付記１２）
前記クリップの内側と上軸筒の下端との間に支持ベースを介して固定接続されることを特徴とする付記５に記載の多機能のペン。
【００４３】
（付記１３）
前記支持ベースは、下軸筒の最大折り曲げ状態での軸線延長線に位置し、又は下軸筒の最大折り曲げ状態での軸線延長線の近くにクリップ末端の片側に設けられることを特徴とする付記１２に記載の多機能のペン。
【００４４】
（付記１４）
前記クリップの内側と上軸筒の下端との間に支持ベースを介して固定接続されることを特徴とする付記６に記載の多機能のペン。
【００４５】
（付記１５）
前記支持ベースは、下軸筒の最大折り曲げ状態での軸線延長線に位置し、又は下軸筒の最大折り曲げ状態での軸線延長線の近くにクリップ末端の片側に設けられることを特徴とする付記１４に記載の多機能のペン。
【００４６】
（付記１６）
内凹円弧面の中部突起に連結カラムが設けられ、下軸筒の連結端部はＵ形チャックと見なされ、Ｕ形チャックは連結カラムに挟まれて連結され、かつ下軸筒の外凸円弧面が内凹円弧面に当接することを特徴とする付記２又は３に記載の多機能のペン。
【００４７】
（付記１７）
前記上軸筒の先端部と下軸筒の底部とにそれぞれソフト性ラバーリングが設けられることを特徴とする付記１に記載の多機能のペン。
【００４８】
（付記１８）
前記リフィルが下軸筒内に設けられ、下軸筒は相対回転自在の二段シャフトに分かれ、二段シャフトが相対回転してリフィルの繰り出し及び繰り入れを制御することを特徴とする付記１乃至３の何れか１つに記載の多機能のペン。
【００４９】
（付記１９）
前記上軸筒の側面にスイッチが設けられ、上軸筒の先端部にスイッチにより制御される照明灯が設けられることを特徴とする付記１乃至３の何れか１つに記載の多機能のペン。
【００５０】
（付記２０）
前記上軸筒の側面にスイッチが設けられ、上軸筒の先端部にスイッチにより制御されるレーザーが設けられることを特徴とする付記１乃至３の何れか１つに記載の多機能のペン。
【００５１】
（付記２１）
前記上軸筒の側面にＵＳＢ接合信号端子が嵌められ、ＵＳＢ接合信号端子が抜け出してコンピュータに挿設することができ、上軸筒の他方側にＵＳＢ接合信号端子に対応するリモコンボタンが設けられることを特徴とする付記１乃至３の何れか１つに記載の多機能のペン。
【００５２】
（付記２２）
前記上軸筒に光反射器が設けられることを特徴とする付記１に記載の多機能のペン。
【符号の説明】
【００５３】
１  上軸筒、２  下軸筒、３  クリップ、４  内凹円弧面、５  光反射器、６  ソフト性ラバーリング、７  携帯電話突き当て凸条、８  外凹円弧面、９  携帯電話、１０  スイッチ、１１  照明灯、１２  支持ベース、１３  折り曲げ突き当て平面、１４  伸ばし突き当て平面、１５  段差面、１６  Ｕ形チャック、１７  連結カラム
【図１】
0003209124.tif 000003
【図２】
0003209124.tif 000004
【図３】
0003209124.tif 000005
【図４】
0003209124.tif 000006
【図５】
0003209124.tif 000007
【図６】
0003209124.tif 000008
【図７】
0003209124.tif 000009